(57)【特許請求の範囲】
【請求項１】
エスカレーター手摺ベルト８の表面の汚れを取る装置で、手摺ベルトの動きを利用して清掃スラストブラシ１を自回転させる為に、手摺ベルト運動方向９に対面して清掃スラストブラシ１の接触抵抗をブラシ軸２の左右で不均衡にすることで清掃スラストブラシ１に自回転力を発生させることを特色とするものであり、清掃スラストブラシ１のブラシ軸２の左右の接触抵抗を不均衡にする方法としては、手摺ベルト運動方向９に対面して清掃スラストブラシ１のブラシ軸２の左右で不均衡な押し当て圧力で押し当て接触抵抗をブラシ軸２の左右で不均衡にして自回転力を発生させるか、叉はブラシ軸２を僅かに左右に傾けてエスカレーター手摺ベルト８に押し当て接触抵抗をブラシ軸２の左右で不均衡にして自回転力を発生させるか、叉はエスカレーター手摺ベルト幅より少し広い径の清掃スラストブラシ１を使用し手摺ベルト中心線１０より少し左叉は右にブラシ軸２をずらせて清掃スラストブラシ１の一部をエスカレーター手摺ベルト８の外にはみ出させて清掃スラストブラシ１の左右の接触面積を不均衡にすることで接触抵抗をブラシ軸２の左右で不均衡にさせ自回転力を発生させるか、叉はこれ等の組み合わせにより清掃スラストブラシ１を自回転させる様にしたエスカレーター手摺ベルト清掃ユニット。 
【発明の詳細な説明】
【技術分野】
【０００１】
本発明はエスカレーター及び動く歩道の手摺ベルトの清掃装置に関する。
【背景技術】
【０００２】
従来、エスカレーターの手摺ベルト清掃装置として手摺ベルトの動きを利用しローラー型ブラシ等を用いてただ回転させるだけのものは有るが、手摺ベルト面にこびり着いた汚れまで取るための擦り磨く動作が無く手摺ベルト清掃の機能が十分であるとは言えない。
【特許文献１】特開２００３−１２２６４
【発明の開示】
【発明が解決しようとする課題】
【０００３】
エスカレーター手摺ベルトの清掃装置として手摺ベルトの動きを利用し清掃スラストブラシを自回転させエスカレーター手摺ベルトの表面を擦り磨く機能を持たせ手摺ベルト表面にこびり着いた汚れまで取れるエスカレーターの手摺ベルト清掃装置を実現する。
【０００４】
エスカレーターの手摺ベルト面を最適な圧力で擦り磨き過大な力が加わり傷付けることを防止する。
【０００５】
エスカレーターの手摺ベルト全表面をむら無く均一に擦り磨ける様にする。
【０００６】
複雑な構成を避け簡略な構成で機能を実現しメンテナンスを容易にする。
【課題を解決するための手段】
【０００７】
清掃スラストブラシを使用し手摺ベルトの動きにより清掃スラストブラシを自回転させ擦り磨ける様にする。
【０００８】
エスカレーターの手摺ベルトと清掃スラストブラシの間の摩擦抵抗を手摺ベルトの運動方向に対面してブラシ軸の左右で不均衡にさせ自回転力を発生させる。
【０００９】
清掃スラストブラシの軸の左右で摩擦抵抗を不均衡にさせ自回転力を発生させる方法として以下の三つの方法がある。
【００１０】
一として、手摺ベルト運動方向に対面して清掃スラストブラシの押し当て圧力を清掃スラストブラシの軸の左右で不均衡にして円形スラストブラシの接触抵抗を清掃スラストブラシの軸の左右で不均衡にさせ自回転力を発生させる。
【００１１】
二として、手摺ベルト運動方向に対面して清掃スラストブラシの軸を僅かに左又は右に傾けてエスカレーターの手摺ベルトに押し当て清掃スラストブラシの接触抵抗を清掃スラストブラシの軸の左右で不均衡にさせ自回転力を発生させる。
【００１２】
三として、エスカレーターの手摺ベルト幅より少し広い径のブラシを使用し手摺ベルト中心線より少し左又は右にブラシ軸をずらせて清掃スラストブラシの一部を手摺ベルトの外にはみ出させ清掃スラストブラシの左右の接触面積を不均衡にすることで接触抵抗を清掃スラストブラシの軸の左右で不均衡にさせ自回転力を発生させる。
【００１３】
上記自回転方法は一つの方法だけでも自回転は可能であるが二つ以上の方法を組合わせて、例えばブラシ軸を傾け且つ押し当て圧を不均衡にする等の様にして用いる事も出来る。
【００１４】
手摺ベルト中心線に対して鏡面対象となる様に構成した二組の清掃スラストブラシを前後に並べることで手摺ベルト全表面をむら無く均一に擦り磨く事が出来る。
【００１５】
上記の手摺ベルト清掃装置は手摺ベルトの下側の位置で手摺ベルトの角度に合わせて手摺ベルト表面に上向きに押し当てられて用いられる。
【発明の効果】
【００１６】
外部に自回転手段を付加する事無く、清掃スラストブラシ１自らが自回転力を発生するので構造を簡略にしメンテナンスを容易にする事が出来る。
【発明を実施するための最良の形態】
【００１７】
清掃スラストブラシ単独で自回転力を発生させ構造を簡略にし、擦り磨く機能を持たせることでこびり着いた汚れまで擦り落とす事が出来る。
【実施例１】
【００１８】
図を参照に本発明のエスカレーター手摺ベルト清掃装置につき詳細に説明する。
図１、図２は清掃スラストブラシ１の自回転の方法として手摺ベルト運動方向９に対面してブラシ軸２の左右の清掃スラストブラシ１の押し当て圧力を不均衡にして清掃スラストブラシ１の接触抵抗をブラシ軸２の左右で不均衡にさせ自回転力を発生させたものである。
【００１９】
図２で清掃スラストブラシ１は高さ調整ネジ１２によりエスカレーター手摺ベルト８の下側の位置でエスカレーター手摺ベルト８の表面に上向きに押し当てスプリング５及び補助押し当てスプリング６により押し当てられ、エスカレーター手摺ベルト８は手摺ベルト運動方向９の矢印の方向に運動しているものとして説明する。
【００２０】
押し当てスプリング５は補助押し当てスプリング６より押し当て圧力が強く成る様に調整されて居り従って押し当てスプリング５の側に強い接触抵抗が働き清掃スラストブラシ１は自回転方向７の方向に自回転力が発生し自回転する。
【００２１】
押し当てスプリング５を二カ所にしたのは清掃スラストブラシ１の手摺ベルト運動方向９の前後の傾きを規制する為である。
【００２２】
手摺ベルト運動方向９に対面して左右逆対象となる二つの清掃スラストブラシ１を前後に並べることで手摺ベルト全面を均一に擦り磨くことが出来る。
【実施例２】
【００２３】
図３、図４は清掃スラストブラシ１の自回転の方法として手摺ベルト運動方向９に対面して清掃スラストブラシ１のブラシ軸２を僅かに左又は右に傾けてエスカレーター手摺ベルト８に押し当て清掃スラストブラシ１の接触抵抗を左右不均衡にさせ自回転力を発生させたものでる
【００２４】
図３で清掃スラストブラシ１のブラシ軸２は手摺ベルト運動方向９に対面して左又は右に傾斜角度４の傾きで押し当てスプリング５によりエスカレーター手摺ベルト８に押し当てられる。
【００２５】
清掃スラストブラシ１のブラシ軸２の傾斜角度４によりエスカレーター手摺ベルト８の手摺ベルト運動方向９に対面して左右に不均等な接触抵抗が生じ清掃スラストブラシ１には自回転力が発生し自回転する。
【００２６】
傾斜角度４が互いに反対である清掃スラストブラシ１を前後に並べることで手摺ベルト全面を均一に擦り磨くことが出来る。
【００２７】
小型殺菌灯１２は手摺ベルト面を消毒するようにしたものである。
【実施例３】
【００２８】
図５、図６は清掃スラストブラシ１の自回転の方法としてエスカレーターの手摺ベルト幅より少し広い径の清掃スラストブラシ１を使用し手摺ベルト中心線１０より少し左又は右にブラシ軸２をずらせて清掃スラストブラシ１の一部を手摺ベルトの外にはみ出させ清掃スラストブラシ１の左右の接触面積を不均衡にすることで接触抵抗を左右不均衡にさせ自回転力を発生させたものである。
【００２９】
図５で清掃スラストブラシ１の片側は少しエスカレーター手摺ベルト８から外れ外れた部分には接触抵抗は働かず、清掃スラストブラシ１のブラシ軸２の左右には不均等な接触抵抗が働き自回転力を発生し自回転する。
【００３０】
反対方向にずらせた清掃スラストブラシ１を前後に配置することで手摺ベルト全表面を均一に擦り磨く事が出来る。
【００３１】
これ等の自回転方法は単独でも自回転が可能であるがこれ等の実施例を組み合わせて用いる事も出来る。
【００３２】
清掃スラストブラシ１はエスカレーター手摺ベルトの表面にすりキズが入らないよう毛ブラシ又はナイロンブラシの線径は０．２ｍｍ前後に考慮されている。
【００３３】
又、清掃スラストブラシ１はスラストブラシに限るものでは無く、バフ状のスラスト面を用いても実現が可能である。
【産業上の利用可能性】
【００３４】
複数個を横に並べて使用し幅の広い搬送コンベアーベルト等の清掃用としても利用が可能である。
【図面の簡単な説明】
【００３５】
【図１】本発明の実施例１のエスカレーター手摺ベルト清掃装置の横断面図
【図２】本発明の実施例１のエスカレーター手摺ベルト清掃装置の平面図
【図３】本発明の実施例２のエスカレーター手摺ベルト清掃装置の横断面図
【図４】本発明の実施例２のエスカレーター手摺ベルト清掃装置の縦断面図
【図５】本発明の実施例３のエスカレーター手摺ベルト清掃装置の横断面図
【図６】本発明の実施例３のエスカレーター手摺ベルト清掃装置の平面図
【符号の説明】
【００３６】
１          清掃スラストブラシ
２          ブラシ軸
３          軸受け
４          傾斜角度
５          押し当スプリング
６          補助押し当スプリング
７          自回転方向
８          エスカレーター手摺ベルト
９          手摺ベルト運動方向
１０          手摺ベルト中心線
１１          脚フレーム
１２          高さ調整ネジ
１３          小型殺菌灯
【図１】
0004431834.tif 000002
【図２】
0004431834.tif 000003
【図３】
0004431834.tif 000004
【図４】
0004431834.tif 000005
【図５】
0004431834.tif 000006
【図６】
0004431834.tif 000007